(57)【特許請求の範囲】
【請求項１】
垂直部を有する消火水放水用の水路（１）を内部に備えた筒状弁座（２）と、前記筒状弁座の先端側に連結されていて前記筒状弁座の前記水路の垂直部に対して交差する方向に吐出口（３）を有するケーシング（４）と、前記ケーシング内に組み込まれていて水圧が作用しない状態では自重で前記筒状弁座の先端に当接して前記水路を閉としていて、前記水路に消火水が供給された時にはその水圧で前記筒状弁座の先端から離れて前記水路を開とする逆流防止弁体と、前記ケーシング内に回転自在に組み込まれていて外部のハンドルの操作で前記吐出口（３）を開閉する円弧状曲面体よりなるボール状弁体（７）とを備えた消防ポンプ用放水弁において、
前記筒状弁座（２）には、消防ポンプに対して回転自在に取付けるための取付け部（２ａ）が設けられ、
前記筒状弁座（２）の先端と前記ケーシング（４）との連結部は、該筒状弁座の先端に設けられたフランジ（２ｆ）及びケーシングの筒状弁座側の端部に設けられたフランジ（４ｆ）どうしをボルト及びナットにより締結したフランジ結合部からなっていて、前記筒状弁座の水路の垂直部の軸線に対して傾斜した向きで設けられ、
前記筒状弁座は、その内部の水路の垂直部が湾曲した水路を通して前記ケーシング内につながるように湾曲した形状に形成され、
前記逆流防止弁体は、前記筒状弁座の先端とケーシングとの連結部のフランジ（２ｆ），（４ｆ）間に挟み込まれたゴム製の環状縁部（５ａ）と該環状縁部（５ａ）内に配置されて一部がスイング支点部（５ｂ）で前記環状縁部に連結された円板状のスイング弁体（５′）とからなっていること、
を特徴とする消防ポンプ用放水弁。
【発明の詳細な説明】
【０００１】
【発明の属する技術分野】
本発明は、消防ポンプの吐出側に配置されて消火水の供給と遮断の制御に用いる消防ポンプ用放水弁に関するものである。
【０００２】
【従来の技術】
図２は、従来のこの種の消防ポンプ用放水弁の構造を示したものである。この消防ポンプ用放水弁は、消火水が通る縦向きの水路１を有するアルミ鋳物等からなる筒状弁座２と、この筒状弁座２の先端側外周にその周方向に回転自在に取り付けられていて筒状弁座２の水路１の垂直部に対して交差する横向きの吐出口３を有するアルミ鋳物等からなるケーシング４と、ケーシング４内に組み込まれていて水圧が作用しない状態では自重で筒状弁座２の先端に当接して水路１を閉としていて、該水路１に消火水が供給された時にはその水圧で筒状弁座２の先端から離れて該水路１を開とする逆流防止弁体５と、ケーシング４内に回転自在に組み込まれていて外部のハンドル６の操作で吐出口３を開閉する円弧状曲面体よりなるアルミ鋳物等からなるボール状弁体７とを備えた構造になっている。この場合、筒状弁座２とこれに嵌合されるケーシング４の筒部４ａとの間には、ケーシング４を回転自在にするためのステンレスボール８と止水するためのＯリング９とが介在されている。また、吐出口３はケーシング４のネックフランジ部４ｂに設けられている。逆流防止弁体５はその中心に垂直向きで弁棒１０を備え、この弁棒１０の上端はケーシング４の上壁部に設けられたガイド孔１１内に昇降自在に嵌め込まれている。ボール状弁体７は、ブラケット部７ａで水平向きの回転軸１２に固定され、この回転軸１２はケーシング４を水密状態を保って回転自在に貫通していて、ケーシング４の外でこの回転軸１２にハンドル６が水平方向に円弧運動できるように固定されている。吐出口３を形成するネックフランジ部４ｂの内周には、ボール状弁体７で止水する際に該ボール状弁体７が接触してシールする弁座１３が設けられている。回転軸１２は、ボール状弁体７の両側のブラケット部７ａの側面から外向きに突設されていて、ケーシング４の軸受部に水密状態を保って回転自在に支持されている。吐出口３と筒状弁座２との間のケーシング４の下部にはドレインプラグ１４が設けられている。
【０００３】
このような消防ポンプ用放水弁は、待機時にはハンドル６が図示のａ位置にあり、この状態ではボール状弁体７がシールする弁座１３に接触して吐出口３を閉鎖している。またこの状態では、逆流防止弁体５がその自重で下降して筒状弁座２の先端に当接して水路１を閉としている。また、ハンドル６を図示のａ位置からｂ位置に移動させると、吐出口３を閉鎖していたボール状弁体７が弁座１３から離れて図示の位置、即ち吐出口３と筒状弁座２との間のケーシング４内の下部に移動し、吐出口３が解放され、放水が開始される。
【０００４】
【発明が解決しようとする課題】
しかしながら、図２に示す構造の消防ポンプ用放水弁では、ガイド孔１１内に土砂等が入り込むと、逆流防止弁体５が動かなくなる問題点があった。また、図２に示す構造の消防ポンプ用放水弁では、逆流防止弁体５が垂直向きで弁棒１０を備え、この弁棒１０の上端をケーシング４の上壁部に設けられたガイド孔１１内に昇降自在に嵌め込んで取付けているので、逆流防止弁体５の取付け構造が複雑化し、コスト高になると共に保守も面倒になる問題点があった。
【０００５】
本発明の目的は、土砂等により逆流防止弁体が動かなくなる事態の発生を防止することができる消防ポンプ用放水弁を提供することにある。
【０００６】
本発明の他の目的は、逆流防止弁体の保守や点検を容易に行える消防ポンプ用放水弁を提供することにある。
【０００７】
本発明の他の目的は、逆流防止弁体の保守や点検を容易に行えるタイプであるにも拘らず、吐出口の向きの変更も支障なく行える消防ポンプ用放水弁を提供することにある。
【０００８】
【課題を解決するための手段】
本発明は、垂直部を有する消火水放水用の水路を内部に備えた筒状弁座と、該筒状弁座の先端側に連結されていて筒状弁座の水路の垂直部に対して交差する方向に吐出口を有するケーシングと、ケーシング内に組み込まれていて水圧が作用しない状態では自重で筒状弁座の先端に当接して前記水路を閉としていて、水路に消火水が供給された時にはその水圧で前記筒状弁座の先端から離れて水路を開とする逆流防止弁体と、ケーシング内に回転自在に組み込まれていて外部のハンドルの操作で吐出口を開閉する円弧状曲面体よりなるボール状弁体とを備えた消防ポンプ用放水弁を改良するものである。
【０００９】
本発明に係る消防ポンプ用放水弁においては、消防ポンプに対して回転自在に取付けるための取付け部が筒状弁座に設けられている。筒状弁座の先端とケーシングとの連結部は、該筒状弁座の先端に設けられたフランジ及びケーシングの筒状弁座側の端部に設けられたフランジどうしをボルト及びナットにより締結したフランジ結合部からなっていて、筒状弁座の水路の垂直部の軸線に対して傾斜した向きで設けられている。筒状弁座は、その内部の水路の垂直部が湾曲した水路を通してケーシング内につながるように湾曲した形状に形成されている。逆流防止弁体は、筒状弁座の先端とケーシングとの連結部のフランジ間に挟み込まれたゴム製の環状縁部と該環状縁部内に配置されて一部がスイング支点部で環状縁部に連結された円板状のスイング弁体とからなっている。
このように逆流防止弁体がスイング支点部を中心にしてスイング動作をするスイング弁体により構成されていると、ケーシングのガイド孔内に昇降自在に嵌め込まれる弁棒がなくなるので、ガイド孔内に土砂等が入り込むことにより逆流防止弁体が動かなくなる事態の発生を回避でき、消防ポンプ用放水弁の信頼性を向上させることができる。
【００１０】
上記のように、スイング弁体を、筒状弁座とケーシングとのフランジによる連結部の箇所に組み込む構造にすると、フランジによる連結部を外すことによりスイング弁体の保守点検を容易に行うことができる。
【００１１】
また、上記のように、消防ポンプに対して回転自在に取付けるための取付け部を筒状弁座に設けると、筒状弁座を消防ポンプに対して回転自在に取り付けることができるため、筒状弁座とケーシングとのフランジによる連結部にスイング弁体が組み込まれていて、逆流防止弁体の保守や点検を容易に行えるタイプであるにも拘らず、吐出口の向きの変更を支障なく行うことができる。
【００１２】
【発明の実施の形態】
図１は、本発明に係る消防ポンプ用放水弁における実施の形態の一例を示す縦断面図である。なお、前述した図２と対応する部分には、同一符号を付けて示している。
【００１３】
この消防ポンプ用放水弁においては、逆流防止弁体が、屈曲自在なスイング支点部５ｂを中心にしてスイング動作をするスイング弁体５´により構成されている。このスイング弁体５´は、筒状弁座２とケーシング４とのフランジ２ｆ，４ｆによる連結部１５の箇所に組み込まれている。更に詳述すると、筒状弁座２の先端とケーシング４との連結部は、該筒状弁座の先端に設けられたフランジ２ｆ及びケーシングの筒状弁座側の端部に設けられたフランジ４ｆどうしを図示しないボルト及びナットにより締結したフランジ結合部からなっていて、筒状弁座の水路の垂直部の軸線に対して傾斜した向きで設けられている。図示のように、筒状弁座２は、その内部の水路の垂直部が湾曲した水路を通してケーシング４内につながるように湾曲した形状に形成されている。逆流防止弁体は、筒状弁座の先端とケーシングとの連結部のフランジ２ｆ，４ｆ間に挟み込まれたゴム製の環状縁部５ａとこの環状縁部５ａ内に配置されて一部が屈曲自在なゴム製のスイング支点部５ｂで環状縁部５ａに連結された円板状のスイング弁体５′とからなっている。ゴム製で円板状をしたスイング弁体５´の中央部には、補強体兼ウエイト１６がボルト，ナット等の取付け具１７で取付けられている。ケーシング４の上部内面には、スイング弁体５´の上昇限界を定めるストッパー１８が設けられている。筒状弁座２には、図示しない消防ポンプに対して回転自在に取付ける筒状の取付け部２ａが設けられている。この取付け部２ａの内面には、図示しない消防ポンプの筒部との間のシールをするＯリング９が支持されている。また、取付け部２ａの内面には、該取付け部２ａが図示しない消防ポンプの筒部から脱落しないように係止する図示しない係止リングを嵌める環状溝１９が設けられている。その他の構成は、前述した図２と同様な構造になっている。
【００１４】
このようなスイング弁体５´を備えた消防ポンプ用放水弁は、待機時にハンドル６が図示のａ位置にあり、この状態ではボール状弁体７がシールする弁座１３に接触して吐出口３を閉鎖している。またこの状態では、スイング弁体５´がその自重で下降して筒状弁座２の先端に当接して水路１を閉としている。
【００１５】
消防ポンプを作動させると、水路１に流入した消火水の水圧によりスイング弁体５´がスイング支点部５ｂで曲がって押上げられて水路１が開となる。スイング弁体５´はその取付け具１７がケーシング４の上部内面のストッパー１８に当たった状態で停止している。
【００１６】
この状態でハンドル６を図示のａ位置からｂ位置に移動させると、吐出口３を閉鎖していたボール状弁体７が弁座１３から離れて図示の位置、即ち吐出口３と筒状弁座２との間のケーシング４内の下部に移動し、吐出口３が解放され、放水が開始される。このとき吐出口３が放水作業を行う方向に向くように、ケーシング４及び筒状弁座２は図示しない消防ポンプの筒部に対して回転させることができる。
【００１７】
消防ポンプを運転しながらハンドル６を図示のｂ位置からａ位置に移動させると、ボール状弁体７が弁座１３に接触して吐出口３が閉鎖され、放水が停止する。この状態で消防ポンプの運転を停止すると、スイング弁体５´を押し上げる水圧がなくなるので、スイング弁体５´が下降して筒状弁座２の上端に接触して水路１を閉じる。このため落水が防止され、消防ポンプの運転を開始すれば呼び水をすることなく直ちに消火水の吐出を開始することができる。
【００１８】
本例のように、逆流防止弁体５がスイング弁体５´により構成されていると、図２に示す従来例のようにケーシング４のガイド孔１１内に昇降自在に嵌め込まれる弁棒１０がなくなるので、ガイド孔１１内に土砂等が入り込むことにより逆流防止弁体５が動かなくなる事態の発生を回避でき、消防ポンプ用放水弁の信頼性を向上させることができる。
【００１９】
また、スイング弁体５´を、筒状弁座２とケーシング４とのフランジ２ｆ，４ｆによる連結部１５に組み込むと、フランジ２ｆ，４ｆによる連結部１５を外すことによりスイング弁体５´の保守点検を容易に行うことができる。
【００２０】
また、筒状弁座２に消防ポンプに対して回転自在に取付けるための取付け部２ａを設ると、筒状弁座２が消防ポンプに対して回転自在であるため、筒状弁座２とケーシング４とのフランジ２ｆ，４ｆによる連結部１５にスイング弁体５´が組み込まれていて、逆流防止弁体の保守や点検を容易に行えるタイプであるにも拘らず、吐出口３の向きの変更を支障なく行うことができる。
【００２１】
また、スイング支点部５ｂは、ヒンジにより構成することもできる。
【００２２】
【発明の効果】
以上説明したように本発明に係る消防ポンプ用放水弁では、逆流防止弁体がスイング支点部を中心にしてスイング動作をするスイング弁体により構成されているので、ケーシングのガイド孔内に昇降自在に嵌め込まれる弁棒がなくなり、このためガイド孔内に土砂等が入り込むことにより逆流防止弁体が動かなくなる事態の発生を回避でき、消防ポンプ用放水弁の信頼性を向上させることができる。
【図面の簡単な説明】
【図１】  本発明に係る消防ポンプ用放水弁における実施の形態の一例を示す縦断面図である。
【図２】  従来の消防ポンプ用放水弁の縦断面図である。
【符号の説明】
１  水路
２  筒状弁座
２ａ  取付け部
２ｆ  フランジ
３  吐出口
４  ケーシング
４ａ  筒部
４ｂ  ネックフランジ部
４ｆ  フランジ
５  逆流防止弁体
５´  スイング弁体
５ａ  環状縁部
５ｂ  スイング支点部
６  ハンドル
７  ボール状弁体
７ａ  ブラケット部
８  ステンレスボール
９  Ｏリング
１０  弁棒
１１  ガイド孔
１２  回転軸
１３  弁座
１４  ドレインプラグ
１５  連結部
１６  補強体兼ウエイト
１７  取付け具
１８  ストッパー
【図１】
0003909733.tif 000002
【図２】
0003909733.tif 000003